(57)【要約】
【課題】　ティッシュペーパーを使用開始時から１枚毎を破損させることなく確実に取り出すことができる使い勝手の良好な製品を提供することにある。
【解決手段】　表面にペーパーの取り出し口５を形成するとともに、内部に複数枚のティッシュペーパーａを収納してなるティッシュペーパーボックス１において、取り出し口５を、ボックスの長さ方向に沿う方向に刻設された一対のミシン線５１で形成される帯状片５２を切除することにより開放する緩やかなＳ字形状とした波形状開口部５３と、前記波形状開口部５３の両端に位置する指挿入部５４と、前記波形状開口部５３に沿って形成した前後の折れ線部５５とにより構成し、前記波形状開口部５３と指挿入部５４の片半部及び折れ線部５５とによって囲まれる部分をティッシュペーパーの取り出し用蓋片５６とし、前記蓋片５６を、波形状開口部５３を境界にして対向状に構成してなることを特徴とする。
【選択図】　　　　図１
0003100011.tif 000002
【実用新案登録請求の範囲】
【請求項１】
　表面にペーパーの取り出し口を形成するとともに、内部に複数枚のティッシュペーパーを収納してなるティッシュペーパーボックスにおいて、
　前記取り出し口を、ボックスの長さ方向に沿う方向に刻設された一対のミシン線で形成される帯状片を切除することにより開放する波形状開口部と、前記波形状開口部の両端に位置する指挿入部と、前記波形状開口部に沿って形成した前後の折れ線部とにより構成し、前記波形状開口部と指挿入部の片半部及び折れ線部とによって囲まれる部分をティッシュペーパーの取り出し用蓋片とし、前記蓋片を、波形状開口部を境界にして対向状に構成してなることを特徴とするティッシュペーパーボックス。
【請求項２】
　波形状開口部を、１つの山部と谷部とが連続する緩やかなＳ字形状としたことを特徴とする請求項１に記載のティッシュペーパーボックス。
【請求項３】
　対向する一対のミシン線５１は、一方の端部が互いに接近するように屈曲している請求項１又は２に記載のティッシュペーパーボックス。
【考案の詳細な説明】
【技術分野】
【０００１】
　本考案は、内部のティッシュペーパーを、破損させないで簡単に、しかも１枚毎を確実に取り出すことができ、また開封時の最上段のティッシュペーパーを取り出しやすくするようにしたティッシュペーパーボックスに関するものである。
【背景技術】
【０００２】
　従来のティッシュペーパーボックスにおいては、使用後に製紙用のリサイクル原料として再利用することができるようにするため、上面の中央に形成したティッシュペーパーの取り出し口に樹脂フィルムを使用しないで、内部のティッシュペーパーを取り出すことができるように構成した考案等が提案されている。
【特許文献１】特開平９−１５０８７１号公報
【特許文献２】実用新案登録第３０７１５０２号公報
【考案の開示】
【考案が解決しようとする課題】
【０００３】
　上記特許文献１の特開平９−１５０８７１号公報に開示された考案のティッシュペーパーボックスは、取出し口部が、取出し口部用枠と、取出し口部用枠の中心線に沿って波状のミシン目を刻設することにより前後の押え片により構成されている。
【０００４】
　しかしこの従来のティッシュペーパーボックスでは、取り出し口に樹脂フィルムを使用していないという構成だけであって、使用開始時に前記押え片を操作することが困難である。即ち、使用開始時には、取出し口部のミシン目を切断して開放したとしても、内部にティッシュペーパーが充満状に収納されているため、両押え片を無理なく立ち上げるようにして折ることができないので、最上段のティッシュペーパーを引き抜いても途中で破損することになる。しかも、指先を無理に差し込んで押え片を立ち上げようとしても、最上段のティッシュペーパーに引っ掛かるので、どうしても上から数枚を無駄にしてから使用しなければならない。
【０００５】
　また、前記ミシン目の両端部に更に押え片を形成するようにした実施例も記載されているが、その実施例では前後左右に押え片を設けているだけであって、使用開始時の無駄を解消するための有効な手段ではない。
【０００６】
　そして上記特許文献２の実用新案登録第３０７１５０２号公報に開示された考案のティッシュペーパーボックスは、前記した特許文献１の考案の欠点を改善するものであるが、取出し口がスリット状であるため開放間隔が狭くて、開封時の最上位のペーパーが取り出しにくく、更に使用途中時にペーパーが箱内に落ち込んで止まってしまって一部が外部に引き出されていない場合、取出し口に余裕がないので箱内に指が入りにくくて取り出しにくく、また、無理に指先を入れて取り出すため取り出し口縁で指先を傷つけたりする、等々の多くの欠点があった。
【０００７】
　したがって本考案は、従来の欠点を解消し、またティッシュペーパーを全く無駄にしないという要求に応えるべく考案されたティッシュペーパーボックスであって、ティッシュペーパーを使用開始時から１枚毎を破損させることなく確実に取り出すことができる使い勝手の良好な製品を提供することを目的とする。
【課題を解決するための手段】
【０００８】
　上記目的を達成させるために、本考案のティッシュペーパーボックスは、表面にペーパーの取り出し口を形成するとともに、内部に複数枚のティッシュペーパーを収納してなるティッシュペーパーボックスにおいて、前記取り出し口を、ボックスの長さ方向に沿う方向に刻設された一対のミシン線で形成される帯状片を切除することにより開放する波形状開口部と、前記波形状開口部の両端に位置する指挿入部と、前記波形状開口部に沿って形成した前後の折れ線部とにより構成し、前記波形状開口部と指挿入部の片半部及び折れ線部とによって囲まれる部分をティッシュペーパーの取り出し用蓋片とし、前記蓋片を、波形状開口部を境界にして対向状に構成してなることを特徴とする。
【考案の効果】
【０００９】
　本考案のティッシュペーパーボックスは上述したような構成にした結果、挿入部から指先で帯状片端を摘んで引き上げ切除すれば波形状開口部を切断して取り出し口を開放できるとともに、内部の最上段のティッシュペーパーを引き出すことができるので、最初の１枚から最後までを、無駄なく確実に使用することができる。また、開放操作や引き出し操作はきわめて簡単で、子供や主婦など機械的知識の少ない需要者であっても確実に処理することができる。
【００１０】
　この場合、波形状開口部は帯状片を切除することにより開放して形成されるので、この開口幅は帯状片の幅分となり、余裕を持って指先を挿入することができ、特に開封直後の最上端の１枚目のペーパーを引き出すのがきわめて容易であり、更には使用途中時にペーパーが箱内に落ち込んで止まってしまって外部に一部が引き出されていない場合でも、指を差し込んで簡単に引き出すことができる。
【００１１】
　また、取り出し口は樹脂フィルムを使用していないので、焼却処分しても公害が発生しないし、故紙回収に供することができてリサイクル原料になる。更に、開封時に蓋片を外すことがないので余分な捨て屑が生じなく、実用的価値の高いものとなる。
【考案を実施するための最良の形態】
【００１２】
　以下に本考案を実施するための最良の形態を図面に基づいて詳細に説明する。図１は本考案の実施の形態を示す斜視図、図２は取り出し口の開放前の平面図、図３は指挿入部を破断した状態の斜視図、図４は帯状片の切除を開始した状態の斜視図、図５は取り出し口を開放している状態の斜視図、図６は開放後の最上位のペーパーを引き出す状態の斜視図、図７は最上位のペーパーの一部が引き出されている状態の斜視図、図８は図７の側面図である。
【００１３】
　本考案のティッシュペーパーボックス１は、上面部２、前後の側面部３、底面部（図示省略）及び左右の端面部４を一枚の厚紙により型取りし、側面部３の下縁と底面部の先端縁とを接着剤で合着するとともに、各端面部４を接着剤で合着した従来から知られている長方形状の箱枠体である。
【００１４】
　前記した上面部２の中央部分には、内部に複数枚収納するティッシュペーパーａの取り出し口５を設ける。この取り出し口５は、上面部２の長さ方向に沿って連続的に刻設されている一対のミシン線５１で形成される帯状片５２を切除することにより開放される波形状開口部５３と、この波形状開口部５３の両端に位置するように形成した指挿入部５４と、波形状開口部５３に平行に形成した左右の折れ線部５５とにより構成し、前記波形状開口部５３と指挿入部５４の片半部及び折れ線部５５とにより囲まれる部分に、前記ティッシュペーパーａの取り出し用蓋片５６を構成し、前記蓋片５６を波形状開口部５３を境界にして対向状に構成する。
【００１５】
　前記帯状片５２は、全体として１つの山部と谷部とが連続する緩やかなＳ字形状であるから、前記波形状開口部５３も同様な形状である。
　そして、対向する一対のミシン線５１は、図２で示すように一方の端部が互いに接近するように屈曲しているので、帯状片５２の端部を引き上げて破断する時には、双片６が破損しなくてスムーズに切断することができる。
【００１６】
　また、左右の指挿入部５４は、前記波形状開口部５３に連続する一部を円弧状のミシン目５７とし、残りの部分を折れ線５８で形成するので、ミシン目５７が切断し易くて折れ線５８を内方に折り込み易い。
【００１７】
　そこで取り出し口５が閉塞した未使用状態から使用状態にするには、先ず図３の矢印で示すように、指挿入部５４を表面から内方に押圧してミシン目５７を切断するとともに折れ線５８を折り曲げて、指挿入部５４を内部に押し込む。
【００１８】
　そして、沈んだ各指挿入部５４の表面に指先を差し込んで、帯状片５２の端部を摘んで図４で示すように引き上げ、図５で示すように一対のミシン線５１を破断して帯状片５２を切除し、この帯状片５２の幅の開口幅の波形状開口部５３を形成するのである。
【００１９】
　このように波形状開口部５３は、帯状片５２の幅分だけ開いているので指先が挿入し易く、この開放部分から指先を差し込んで蓋片５６の内面に潜らせ、図６のように各蓋片５６を対向するように立ち上げるとともに最上段のティッシュペーパーａを引き上げることになる。但しこの帯状片５２の幅は必要最小限であるから、開放部分からのゴミが侵入する虞れは殆どない。
【００２０】
　したがって、取り出し口５の開放と同時に最上段のティッシュペーパーａを引き出すことができ、また上から２枚目以降のティッシュペーパーａも、立ち上がって対向する蓋片５６の向かい合う波形状開口部５３に規制されて、破損することなく１枚宛を順に引き出すことができる。
【実施例１】
【００２１】
　図示実施例では、波形状開口部５３を緩やかなＳ字形状としている。これはティッシュペーパーａを円滑に引き出すことができるようにするためであり、引き出し途中で破損してしまうことのないようにするためである。
【００２２】
　以上本考案を図面に示す実施の形態に基づいて説明したが、本考案は前記実施の形態に限定されるものではなく、特許請求の範囲に記載の構成を変更しない限り、どのようにでも実施することができる。例えば、左右の指挿入部５４は円形ではなく、指先を挿入して蓋片５６を立ち上げることができる形態であれば、どのような構成でもよい。
【図面の簡単な説明】
【００２３】
【図１】本考案のティッシュペーパーボックスの実施の形態を示す斜視図である。
【図２】取り出し口の開放前の平面図である。
【図３】指挿入部を破断した状態の斜視図である。
【図４】帯状片の切除を開始した状態の斜視図である。
【図５】取り出し口を開放している状態の斜視図である。
【図６】開放後の最上位のペーパーを引き出す状態の斜視図である。
【図７】最上位のペーパーの一部が引き出されている状態の斜視図である。
【図８】図７の側面図である。
【符号の説明】
【００２４】
　１　　ティッシュペーパーボックス
　２　　上面部
　３　　側面部
　４　　端面部
　５　　取り出し口
　５１　ミシン線
　５２　帯状片
　５３　波形状開口部
　５４　指挿入部
　５５　折れ線部
　５６　蓋片
　５７　ミシン目
　５８折れ線
　ａ　　ティッシュペーパー
【図１】
0003100011.tif 000003
【図２】
0003100011.tif 000004
【図３】
0003100011.tif 000005
【図４】
0003100011.tif 000006
【図５】
0003100011.tif 000007
【図６】
0003100011.tif 000008
【図７】
0003100011.tif 000009
【図８】
0003100011.tif 000010